(57)【要約】  【課題】  介護用パジャマの着せ替えの際に、脊椎に損傷があるなどして寝たきりの状態にある被介護者の体をあまり動かさずにすみ、介護者が被介護者の下肢を片手で持ち上げながらもう片方の手で、パジャマの下衣を操作できるなど、着替えを容易にさせられる方法が待ち望まれている。  【解決手段】  課題を解決するための手段は、被介護者に着せるウエスト部分に棒を差し入れて簡単に操作できるようにしたパジャマの下衣である。  【選択図】  図１
2008266846.tif 000002
【特許請求の範囲】
【請求項１】
図1に示すように、介護用パジャマのズボン状下衣において、後身頃を対称形に2分割し、腰回り部の内縁部を一部重ね合わせるようにし、後身頃のみ重ね合わせた位置にマジックテープ（登録商標）を付設し、前身頃も対称に2分割し、両前身頃の被介護者の左右の下肢に巻き付ける筒を形成する内端縁を、前記後身頃の内端縁に縫着するとともに、外端縁に沿って前記後身頃の外端縁に沿って付設したマジックテープ（登録商標）と対応する位置にマジックテープ（登録商標）を付設し、前記前身頃は後身頃との縫着部分より上方の腰回り部まで伸びており当該部分は自由端となされていることを特徴とする介護用パジャマ下衣。
【請求項２】
図１及び２に示すように、前身頃及び後身頃共に縦に2分割してなるズボン状パジャマ下衣において、上端部に棒状体を挿通挿し得る筒状部分を設けることを特徴とする介護用パジャマ下衣。
【請求項３】
図４に示すように、請求項2のパジャマの下衣において、被介護者を着替えさせる際にズボン上端部の筒状の部分に棒をさしこみ、ズボンの「開き」を作り、被介護者の下肢を持ち上げ臀部を浮かせ、ウエストのところに棒が来るようにズボンを暖簾のような形で滑り込ませ、棒を引き抜き、被介護者の下肢にズボンを巻き、ゴムを留める、パジャマ下衣の着せ替え方法。
【発明の詳細な説明】
【技術分野】
【０００１】
この発明は、介護用パジャマ、特にそのズボン状下衣の改良に関する。
【背景技術】
【０００２】
従来の介護用パジャマは、脊椎に損傷のある被介護者の場合、清拭のための体重移動もままならない寝たきりの状態では、着替え、特にズボン状下衣の着替えは大きな困難を伴うものであった。  
【発明の開示】
【発明が解決しようとする課題】
【０００３】
そこで、この発明では、被介護者が着替えさせられ易く、介護者も着替えさせやすいパジャマのズボン状下衣を提供することを課題とする。
【課題を解決するための手段】
【０００４】
この発明は、前身頃と後身頃をそれぞれ2分割し、これらをマジックテープ（登録商標）により着脱可能とするとともに、上端部に棒状体補助具を挿入できる筒状部を設けるようにして着替えの容易性を確保するものである。
【発明の効果】
【０００５】
この発明によれば、上記の構成により、寝たきりの被介護者にも容易にズボン状下衣を着替えさせることが可能となり、ひんぱんに着替えをさせることができ、左右半身ずつの洗濯も容易にできるため、常に清潔なパジャマを着用させておくことが可能となる効果がある。
【発明を実施するための最良の形態】
【０００６】
図１に示すように、介護用パジャマのズボン状下衣は、後身頃3及び4を対称形に2分割し、両前身頃1及び2を被介護者の左右の下肢に巻きつけて筒状部を形成する部分の内端縁6及び7を、前記3及び4の内端縁に縫着する。前記前身頃1及び２の外端縁8及び9に沿ってマジックテープ（登録商標）10及び11とを付設するとともに、前記マジックテープ（登録商標）10及び11
と対応する前記後身頃3及び4の外端縁に沿ってマジックテープ（登録商標）12及び13を付設する。これらのマジックテープ（登録商標）は図２に示すようにテープ10と12を係着させ、テープ11と13を係着させることにより、ズボン状下衣の筒状部を形成する。
更に、前記後身頃3及び4の各上端部に筒状部14及び15を設ける。これは、後述するように、この発明のパジャマ下衣を被介護者に着装させる際にこの筒状部14及び15に棒状体16を挿通して、後身頃3及び4を開いた状態に保つとともに、棒状体を操作してパジャマ下衣の上端部をウエスト位置にまで持ち来すようにするためのものである。これを図により示すと、図３に示すように、パジャマ下衣の上端筒状部14及び15に棒状体16を挿通してパジャマ下衣を開いた状態とし、被介護者の下肢を持ち上げて臀部を浮かせ、ウエスト位置に棒状体16が来るように矢印に従って上方に滑らせ、被介護者のウエストの位置に来た時、棒状体16を引き抜く。この状態で、前記前身頃1と後身頃3、前身頃2と後身頃4をそれぞれマジックテープ（登録商標）10と12及び11と13を係着させて筒状部を形成する。次に、前記下衣の上端部に設けた筒状部14、15に予め通しておいたゴムひも等17を結ぶなどにより、パジャマ下衣を被介護者に固定的に装着するようにする。
尚、マジックテープ（登録商標）の柔らかいほうの面を、着せ替えの際被介護者の肌に触れる可能性のある12及び13に付設しておくと、不快感が生じない。
また、前記前身頃1及び2の、股から上の部分は、予め中央部が重なり合っているので、着せ替えの際、介護者が被介護者のそけい部に触れることがない。
以上の説明より明らかなように、この発明のパジャマ下衣は、寝たきりの被介護者に特に着せ替えの困難なパジャマ下衣の装着を容易に行えるため、介護者の疲労と被介護者の苦痛を軽減できるものである。
【図面の簡単な説明】
【０００７】
【図１】この発明のズボン状パジャマ下衣の構成要素及びそれぞれの形態と構成を示す図である。
【図２】図1に示したパジャマ下衣の一方（右脚）の下肢を包む筒状部を形成した状態を示す図である。
【図３】パジャマ下半身の組み立ての仕上がりを示す斜視図である。
【図４】図1、図2、図3のパジャマ下衣を被介護者に装着する状態を示す図である。
【図５】この発明の一実施形態を示す斜視図である。パジャマ上下。
【符号の説明】
【０００８】
1及び2はパジャマ下衣を構成する前身頃
3及び4はパジャマ下衣を構成する後身頃
5はマジックテープ（登録商標）
6及び7は前身頃及び後身頃の内端縁
8及び9は前身頃の外端縁
10及び11はマジックテープ（登録商標）の固いほうの面
12及び13はマジックテープ（登録商標）の柔らかいほうの面
14及び15は後身頃上端部の棒状体を挿通する筒状部
16は棒状体
17はズボン状下衣を被介護者のウエストに固定的に装着させるためのゴムひも等
【図１】
2008266846.tif 000003
【図２】
2008266846.tif 000004
【図３】
2008266846.tif 000005
【図４】
2008266846.tif 000006
【図５】
2008266846.tif 000007
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
前身頃及び後身頃共に縦に2分割してなるズボン状パジャマ下衣において、上端部に棒状体を挿通挿し得る筒状部分を設けることを特徴とする介護用パジャマ下衣。
【請求項２】
請求項１のパジャマの下衣において、被介護者を着替えさせる際にズボン上端部の筒状の部分に棒をさしこみ、ズボンの「開き」を作り、被介護者の下肢を持ち上げ臀部を浮かせ、ウエストのところに棒が来るようにズボンを暖簾のような形で滑り込ませ、棒を引き抜き、被介護者の下肢にズボンを巻き、ゴムを留める、パジャマ下衣の着せ替え方法。
【手続補正書】
【提出日】平成19年10月22日(2007.10.22)
【手続補正１】
【補正対象書類名】明細書
【補正対象項目名】０００６
【補正方法】変更
【補正の内容】
【０００６】
図１に示すように、介護用パジャマのズボン状下衣は、後身頃3及び4を対称形に2分割し、両前身頃1及び2を被介護者の左右の下肢に巻きつけて筒状部を形成する部分の内端縁6及び7を、前記3及び4の内端縁に縫着する。前記前身頃1及び２の外端縁8及び9に沿ってマジックテープ（登録商標）10及び11とを付設するとともに、前記マジックテープ（登録商標）10及び11と対応する前記後身頃3及び4の外端縁に沿ってマジックテープ（登録商標）12及び13を付設する。これらのマジックテープ（登録商標）は図２に示すようにテープ10と12を係着させ、テープ11と13を係着させることにより、ズボン状下衣の筒状部を形成する。  更に、前記後身頃3及び4の各上端部に筒状部14及び15を設ける。これは、後述するように、この発明のパジャマ下衣を被介護者に着装させる際にこの筒状部14及び15に棒状体16を挿通して、後身頃3及び4を開いた状態に保つとともに、棒状体を操作してパジャマ下衣の上端部をウエスト位置にまで持ち来すようにするためのものである。これを図により示すと、図4に示すように、パジャマ下衣の上端筒状部14及び15に棒状体16を挿通してパジャマ下衣を開いた状態とし、被介護者の下肢を持ち上げて臀部を浮かせ、ウエスト位置に棒状体16が来るように矢印に従って上方に滑らせ、被介護者のウエストの位置に来た時、棒状体16を引き抜く。この状態で、前記前身頃1と後身頃3、前身頃2と後身頃4をそれぞれマジックテープ（登録商標）10と12及び11と13を係着させて筒状部を形成する。次に、前記下衣の上端部に設けた筒状部14、15に予め通しておいたゴムひも等17を結ぶなどにより、パジャマ下衣を被介護者に固定的に装着するようにする。  尚、マジックテープ（登録商標）の柔らかいほうの面を、着せ替えの際被介護者の肌に触れる可能性のある12及び13に付設しておくと、不快感が生じない。  また、前記前身頃1及び2の、股から上の部分は、予め中央部が重なり合っているので、着せ替えの際、介護者が被介護者のそけい部に触れることがない。  以上の説明より明らかなように、この発明のパジャマ下衣は、寝たきりの被介護者に特に着せ替えの困難なパジャマ下衣の装着を容易に行えるため、介護者の疲労と被介護者の苦痛を軽減できるものである。
【手続補正２】
【補正対象書類名】図面
【補正対象項目名】図４
【補正方法】変更
【補正の内容】
【図４】
2008266846.tif 000008
【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
後身頃を左右対称形に2分割し、腰回り部の内縁部を一部重ね合わせるようにし、後身頃のみ重ね
合わせた位置にマジックテープ（登録商標）を付設し、前身頃も対称に2分割し、両前身頃の被介護者
の左右の下肢に巻き付ける筒を形成する内端縁を、前記後身頃の内端縁に縫着するとともに、外端縁に
沿って前記後身頃の外端縁に沿って付設したマジックテープ（登録商標）と対応する位置にマジックテ
ープ（登録商標）を付設し、前記前身頃は後身頃との縫着部分より上方の腰回り部まで伸びており当該
部分は自由端となされていることを特徴とする介護用パジャマ下衣において、上端部に棒状体を挿通
するための筒状部分を設けることを特徴とする介護用パジャマ下衣。
【請求項２】
請求項１の介護用パジャマの下衣において、被介護者を着替えさせる際にズボン上端部の筒状の部分
に棒をさしこみ、ズボンの「開き」を作り、被介護者の下肢を持ち上げ臀部を浮かせ、ウエストのとこ
ろに棒が来るようにズボンを暖簾のような形で滑り込ませ、棒を引き抜き、被介護者の下肢にズボンを
巻き、ゴムを留める、パジャマ下衣の着せ替え方法。